(57)【特許請求の範囲】
【請求項１】
多彩模様塗装面の補修に用いることのできる補修シートであって、前記補修シートが、多彩模様塗料からなり、着色混合粒の重なり合いが連続して形成されたものであって、独立した不規則な形状および分布の開口部ないし小孔を有するランダムメッシュシートであることを特徴とする、多彩模様塗装面の補修シート。
【請求項２】
前記補修シートが、補修する多彩模様塗装面に用いた多彩模様塗料と同一の多彩模様塗料によって形成されたものである、請求項１に記載の多彩模様塗装面の補修シート。
【請求項３】
請求項１または２に記載の多彩模様塗装面の補修シートを、支持体上に剥離可能に形成してなることを特徴とする、補修シート。
【請求項４】
多彩模様塗装面の補修部に、請求項１または２に記載の多彩模様塗装面の補修シートを手でちぎった後、接着剤を介して貼着することを特徴とする、多彩模様塗装面の補修方法。
【請求項５】
多彩模様塗装面の補修部に、請求項１または２に記載の多彩模様塗装面の補修シートを２枚ないしそれ以上の複数枚となるように、接着剤を介して貼着することを特徴とする、多彩模様塗装面の補修方法。
【請求項６】
前記接着剤が、前記補修シートに用いた多彩模様塗料と同一の多彩模様塗料である、請求項４または５に記載の多彩模様塗装面の補修方法。
【請求項７】
前記接着剤が、前記補修シートに用いた多彩模様塗料に含まれる樹脂成分を接着成分としてなる接着剤である、請求項４または５に記載の多彩模様塗装面の補修方法。
【発明の詳細な説明】
【０００１】
【発明の属する技術分野】
本発明は、多彩模様塗装面の補修シート及び補修シートセット並びに補修方法に関し、詳しくは、主として建築物の内外壁等の表面に形成された多彩模様塗装面に発生した傷、汚れ等の塗膜欠陥を補修するための補修シート及び補修シートセット並びに補修方法に関する。
【０００２】
【従来の技術】
従来、塗装面に発生した傷や汚れ等の塗膜欠陥を補修する方法として、補修部を研磨して塗膜欠陥を除去したうえで、その部分にスプレー塗装等の方法で再塗装する方法が一般的に行われている。この補修方法では、例えば、塗膜欠陥が建築物内外壁等の塗装面に発生した場合、その補修塗りのために現場に塗装機を持ち込まなければならず、またその塗装機のための動力も必要となるなど、補修作業が大がかりになるという問題がある。
【０００３】
このような建築物塗装面の補修作業における前記問題を解消するための方法が、特開平６−３１７０２８号公報に開示されている。この方法は、補修を必要とする部分の塗膜を所定形状に切り取って除去し、この除去部に、補修部の塗装面と同一の塗装工程で形成された塗膜層を備えた補修シートを、前記塗膜除去部と同一形状に切り取って貼着することからなる。しかしこの方法は、補修部の塗膜を切り取って除去する必要があり、また補修シートを補修部の形状に合わせて精度よく一致させて切り取る必要があるなど、補修作業が繁雑になるという問題がある。
【０００４】
ところで、近年、塗装面の美観の向上のために、主として建築物の内外壁等に多彩模様塗装が盛んに行われつつある。この多彩模様塗装とは、例えばＪＩＳ  Ｋ  ５６６７に記載されているようなものであって、数種の色彩の異なった着色塗料を、大小さまざまの形状の液状またはゲル状混合粒として互いに溶け合わない状態で分散媒中に分散してなる多彩模様塗料を塗装したものであり、例えば天然石の風合いなどを壁面にもたせることができるものである。このような多彩模様塗装の補修には、その外観上の特徴のため、前記の単色塗装の補修方法とは異なり、補修における仕上がりの外観向上と作業性の向上が求められている。
【０００５】
【発明が解決しようとする課題】
本発明の目的は、多彩模様塗装面の塗膜欠陥の補修を、熟練を要することなく、極めて容易かつ短時間で行うことができ、しかも補修後に補修部と非補修部の間に視覚的に違和感のない多彩模様とすることのできる補修シート及び補修方法を提供することである。
【０００６】
【課題を解決するための手段】
本発明者らは、多彩模様塗装面を補修するために、塗装面と同様な緻密で強固な塗膜層を備えた補修シートを用いるという従来の発想とは異なり、多数の小孔を有するランダムメッシュシートからなる補修シートを用いることにより、予想外にも仕上がりの外観と補修の作業性を同時に顕著に向上できることを知り本発明を完成させた。
【０００７】
したがって、本発明の多彩模様塗装面の補修に用いることのできる補修シートは、多彩模様塗料からなるランダムメッシュシートであることを特徴とするものである。
【０００８】
また、本発明における前記ランダムメッシュシートは、好ましくは補修する多彩模様塗装面に用いた多彩模様塗料と同一の多彩模様塗料によって形成し、さらに好ましくは、この補修用シートは、支持体上に剥離可能に形成して補修シートセットとする。
【０００９】
さらに本発明の多彩模様塗装面の補修方法は、多彩模様塗装面の補修部に、少なくとも１枚の前記多彩模様塗料によって形成されたランダムメッシュ状の補修シートを、接着剤を介して貼着することを特徴とするものである。
【００１０】
また、本発明の多彩模様塗装面の補修方法の好ましい態様においては、接着剤の材料を、補修シートに用いた多彩模様塗料と同一の多彩模様塗料または補修シートに用いた多彩模様塗料に含まれる樹脂成分を接着成分としてなる接着剤とする。
【００１１】
【発明の実施の形態】
本発明の多彩模様塗装面の補修は、ランダムメッシュ状で柔軟性のある薄膜からなる多彩模様のランダムメッシュシートを補修シートとして用い、補修部の塗膜を切り取って除去することなく、補修部を覆って貼着することを特徴としている。以下に本発明をさらに詳細に説明する。
補修シート
本発明の補修シートは、多彩模様塗料によってランダムメッシュ状となるように形成されたことを特徴とするものである。
【００１２】
図１は、本発明の多彩模様塗装面の補修シートの一例を示す薄膜であり、図中黒色ないし灰色で表される部分は着色混合粒であり、白色で表される部分は開口部ないし小孔である。図１の補修シートは、着色混合粒の部分が連続しており、かつ、開口部ないし小孔が無数に形成されていることが分かる。
【００１３】
本発明においては、このような無数の小孔がランダムに形成された状態のシートをランダムメッシュシートと称し、このようなものを補修シートとして用いる。換言すれば、ランダムメッシュシートとは、着色混合粒をランダムに吹き付けた場合のように、着色混合粒の重なり合いが連続して形成されているが、独立した不規則な形状および分布の開口部ないし小孔を有している状態のシートを意味する。
【００１４】
一般に多彩模様塗料は、ＪＩＳ  Ｋ  ５６６７に記載されているようなものであって、数種の色彩の異なった着色塗料を大小さまざまの形状の液状またはゲル状混合粒（以下、着色混合粒ともいう）として互いに溶け合わない状態で分散媒中に分散させたものである。このような多彩模様塗料には、着色混合粒または分散媒のいずれか一方を油性系とし他方を水性系とした水中油型および油中水型多彩模様塗料、並びに両者を同一系とした水中水型および油中油型多彩模様塗料がある。
【００１５】
本発明の補修シートの形成にあたっては、前記いずれのタイプの多彩模様塗料も使用できるが、好適には水中水型多彩模様塗料が挙げられる。このような水中水型多彩模様塗料の例としては、特公昭５１−６１７５号公報に記載されているように、着色エマルジョン樹脂塗料の液状粒子をゲル化膜でカプセル化し、これを水性系分散媒中に分散してなるものがある。なお、このカプセル化着色混合粒は、その表面を覆うゲル化膜のために、補修シート形成過程で着色混合粒子同士の融着が十分に行われないことがあり、形成する補修シートの強度を低下させる場合があるが、水性系分散媒中に合成樹脂エマルジョンを固形分比で例えば１０〜３０重量％程度含有させておくとこれを改善できる。本発明においては、このような合成樹脂エマルジョンを分散媒中に含有する多彩模様塗料を用いて補修シートとすることが特に好ましい。
【００１６】
また、前記多彩模様塗料において、着色混合粒子を構成する樹脂成分および必要に応じて分散媒中に含有させる合成樹脂エマルジョンの樹脂成分については、特に限定されるものではなく、塗料分野で公知の種々の合成樹脂を構成成分とすることができる。このような樹脂の具体例としては、アクリル系樹脂、塩化ビニル系樹脂、酢酸ビニル系樹脂、ポリスチレン系樹脂、ポリエステル系樹脂、エポキシ系樹脂、ポリウレタン系樹脂、シリコーン・アクリル系樹脂、フッ素系樹脂などが挙げられ、特に建築用途への使用を目的とする場合には、耐候性や耐汚染性等に優れたシリコーン・アクリル系樹脂が好ましい。あるいは、補修される部分と同一の樹脂成分とすると、長時間経過後であっても違和感が少ないという点で好ましい。
【００１７】
補修シートを形成する多彩模様塗料は好ましくは、補修する多彩模様塗装面を形成する多彩模様塗料と同一の多彩模様塗料、具体的には同成分、同色彩の多彩模様塗料を用いて補修シートとすることができる。このようにすることによって、補修直後あるいは長時間経過して様々な環境にさらされた後であっても、補修される部分の多彩模様と補修シートの多彩模様とを略同一にすることができるので、模様の違いによって生じる違和感が解消でき、補修跡の目立たない極めて自然な仕上がり外観となる。
【００１８】
本発明の補修シートの形成方法は、ランダムメッシュシートが形成できれば特に限定されるものではないが、例えばスプレーガンを用いて多彩模様塗料を吹き付け塗装することによって形成することができる。この多彩模様塗料の吹き付け塗装においては、例えば４００ｇ／ｍ2 ないしはそれ以上となるような塗布量で塗布すると、塗料中の着色混合粒が互いに重なり合って被塗布物の全面を均一に覆い、乾燥工程において着色混合粒同士が融着して一枚の連続したフィルム状の塗膜を形成する。しかし、その際の塗布量を特定量以下とすると、形成される塗膜に着色混合粒の重なり合いのない部分が無数に生じ、この部分が小孔を形成することとなるので、全体として見ると無数の小孔の形成されたシートとなる。
【００１９】
このようなランダムメッシュシートである補修シートを作製する方法の一例としては、多彩模様塗料を３００ｇ／ｍ2 以下、好ましくは１００〜３００ｇ／ｍ2 となるような塗布量で、口金口径４〜６ｍｍのエアースプレーガンを用い、２〜５ｋｇ／ｃｍ2 の空気圧で吹き付け塗装し、次いで、常温で５〜２４時間または４０〜６０℃で０．５〜２時間といった乾燥条件で乾燥することによって形成することが挙げられる。この作製例において、多彩模様塗料の塗布量が、例えば３００ｇ／ｍ2 より多くなると、この塗料中の着色混合粒の重なり合いが充分に行われ、小孔がなくなるためランダムメッシュシートを形成しなくなり、一方例えば１００ｇ／ｍ2 より少なくなるとランダムメッシュシートは形成されるものの、シートの連続性が弱まるためシート強度が小さくなり過ぎて、貼着作業時の取り扱い中にシートが破れ易くなるので好ましくない。
【００２０】
なお、補修シートを得る際の多彩模様塗料の塗布量については、そこに含まれる着色混合粒の大きさないし不揮発分濃度等によって大きな差が生じるため、一概に塗布量に特定するのが難しい場合があるが、一つの目安として乾燥後のシート厚が例えば２０〜６０μｍの範囲となるようにしてもよい。
【００２１】
補修部の多彩模様と補修シートの多彩模様とを略同一にするために、さらに、補修シート作製時に使用するエアースプレーガンや、空気圧、温度条件などの塗布条件を多彩模様塗装面の塗装時と同様なものとしてもよい。
【００２２】
本発明の補修シートは、好ましくは可撓性のあるようなフレキシブルシートとする。通常の多彩模様塗料で前記のようにして補修シートを製造すると、薄膜で可撓性のあるシートが得られるが、このような補修シートは、曲面部またはコーナー部の補修にも適したものとなる。
【００２３】
補修シートのランダムメッシュの形成は、適当な支持体、具体的には支持体フィルム上で行うのが好ましい。この支持体フィルムの表面は適当な離型剤で処理し、形成されるランダムメッシュ層を剥離し易くしておくのが特に好ましい。支持体フィルム及びこのフィルムを処理するための離型剤並びに処理方法等については特に限定するものではないが、粘着テープの分野で一般的となっている種々のものが使用できる。支持体フィルムの具体例としては、ポリエチレン、ポリエステル、セロハン、ポリ塩化ビニル等のプラスチックフィルムないしシート、アルミ箔、銅箔、紙（上質紙、クラフト紙、バーチメント紙、カレンダード紙等）、布などが挙げられる。また、これら支持体フィルム表面を離型処理するのに用いられる離型剤としては、シリコーン系重合物、長鎖アルキルアクリレート重合物、長鎖アルキル変性高分子、長鎖アルキルワーナー錯塩、ワックス等が挙げられる。
補修方法
本発明の多彩模様塗装面の補修方法は、前記補修シートの少なくとも１枚を接着剤を用いて多彩模様塗装面の補修部に接着することを特徴とする。
【００２４】
以下、本発明に係る多彩模様塗装面の補修方法を図２を用いて説明する。図２（ａ）〜（ｄ）は本発明に係る多彩模様塗装面の補修方法による補修手順の一例を示した断面図である。図２（ａ）において建築物壁面等の基材１に多彩模様塗膜層２が形成され、この塗膜層２は傷などによる塗膜欠陥５を含んでいる。図２（ｂ）は、上記塗膜欠陥５を補修するために、この塗膜欠陥を覆って接着剤層３を塗布した状態であり、次いでこの接着剤層３の上に図２（ｃ）に示すように補修シート４が貼着される。
【００２５】
なお、補修シートの貼着を完全にするために、このシートを軽く押さえつけると補修シートの端縁部および補修シートのランダムメッシュの開口ないし小孔部から接着剤がはみ出し、はみ出し部３ａを形成する場合があるが、この場合、刷毛、指等により適宜ならすことによって図２（ｄ）の３ｂで示すように補修シートの端縁部では段差が解消され、ランダムメッシュの開口ないし小孔部では、平滑面とすることができる。
【００２６】
本発明の補修方法において用いることのできる接着剤としては、特に限定するものではなく、接着剤分野で公知、慣用の種々の接着剤ないし粘着剤を用いることができる。また、補修部の多彩模様塗装面または補修シートを形成する多彩模様塗料を接着剤として用いても良く、さらには前記多彩模様塗料中の着色混合粒ないし分散媒に配合されている樹脂成分を接着成分としてなる接着剤を用いても良い。
【００２７】
補修シートを形成する多彩模様塗料を接着剤とすることは、補修部塗膜、接着剤層、補修シート相互間の塗膜特性を同一にすることができるので、補修部に剥がれ、しわ、割れ等の欠陥が発生するのを防止でき、耐久性に優れた補修が行える点で好ましい。また、接着剤が多彩模様塗料中の着色混合粒ないし分散媒に配合されている樹脂成分と同一の樹脂成分を接着成分とすることは、上記の耐久性に優れた補修が行える他に、この接着剤は一般に透明性であり、被補修部からはみ出して塗布されたとしても、はみ出し部の接着剤の拭き取りといった作業が不要となるばかりでなく、拭き取った場合でも拭き取り部に模様くずれが発生せず、違和感のない補修が行えるという利点がある。したがって本発明においてはこのような多彩模様塗料中の着色混合粒ないし分散媒に配合されている樹脂成分と同一の樹脂成分からなる接着剤を用いるのが特に好ましい。接着剤層の設けかたは、スプレー、刷毛、コテなど任意の方法によることができる。
【００２８】
本発明の補修方法における補修シートの貼着は、１枚のみで行っても良いが、２枚ないしそれ以上の複数枚となるように貼り重ねても良い。この場合、各層の補修シートの切り取り形状は必ずしも同一とする必要はない。むしろ各層を異なった形状とした方が、補修部の輪郭をより複雑にすることができると共に複数枚とすることによって厚膜となった補修部の境界の段差の解消にも役立ち、優れた仕上がり外観の補修が行えるので好ましい。また、補修部が大きく凹んでいる場合には、多数枚の補修シートを貼り重ねることにより凹部を解消することができる。
【００２９】
補修シートの貼着時に気泡を巻き込んだ場合でも、本発明の補修シートはランダムメッシュ状であるので、補修シートを軽く押さえつけるだけで、ランダムメッシュの開口ないし小孔から気泡を容易に逃がすことができ、貼着不良といった欠点が解消できる。
【００３０】
補修シートのランダムメッシュの形成が、支持体上で行われ、補修シートセットとした場合は、補修シートを支持体から剥離することなくそのまま巻き取ったり、積み重ねたりすることができるので、輸送、保管時の取り扱い等に極めて便利である。
【００３１】
補修シートセットを用いて貼着する場合は、補修シートを支持体から剥がしてから貼着する方法の他、支持体が付いたまま、接着剤を塗布した補修部に貼り付け、その後に支持体を剥がす方法、さらに、補修シートの表側が補修後の表側になるように、補修シートを一度貼着用のシートに写し取ってから接着剤を塗布した補修部に貼り付ける方法を用いてもよい。
【００３２】
本発明に係る補修シートは、塗布量の少ない状態でシート状に形成されてなるので、そのシートは薄く、補修部に貼着した場合、そこに段差の生じることがほとんど無く、仕上がり外観に優れた補修を行うことができる。
【００３３】
また、本発明の補修シートは薄膜であるので、補修部の形状に合わせて切り取るのに必ずしも刃物を必要とせず、手で千切ることができるという利便性がある。特に手で千切ることによって、補修シートの端縁部の形状がより複雑化し、補修部の輪郭を目立たなくする効果があり、補修シートを刃物で切り取った場合に比較して、より自然な仕上がり外観の補修を行うことができる。
【００３４】
【実施例】
本発明を以下の実施例及び比較例に基づいてさらに詳細に説明する。
【００３５】
口径５ｍｍのリシンガンを用い、空気圧３ｋｇ／ｃｍ2 で塗布量６００ｇ／ｍ2 となるように多彩模様塗料を塗布、乾燥することによって補修する多彩模様塗装面を作製し、得られた多彩模様塗装面に約２×２ｃｍの大きさで擦り傷をつけ、これを補修部とした。
【００３６】
実施例の補修シートとして、補修部の多彩模様塗装面の塗装に用いたものと同一の多彩模様塗料を、口径５ｍｍのリシンガンを用い、空気圧３ｋｇ／ｃｍ2 で塗布量２００ｇ／ｍ2 となるように離型紙上に吹き付け塗装し、２４時間室温乾燥して厚み４０〜６０μｍのランダムメッシュ状の補修シートを作製した。
【００３７】
一方、比較例の補修シートとして、上記実施例と同様の条件ではあるが、塗布量が６００ｇ／ｍ2 となるように吹き付け塗装することにより、厚み１５０〜２００μｍの小孔のない補修シートを作製した。
【００３８】
次いで、補修部に前記多彩模様塗料に含まれる樹脂成分からなる接着剤を少量塗りつけ、乾燥しないうちに前記の補修シートを、以下の通り貼り付け、乾燥した後補修部の外観を観察した。
【００３９】
例１
補修シートを、多彩模様塗装面の補修部を充分に覆うような大きさに指で千切り、補修部の塗膜を切り取ることなくこれを補修部に貼り、指で軽く押さえつけた。実施例の補修シートの場合は、補修シートの端部及びランダムメッシュの開口部ないし小孔部から接着剤がはみ出たが、指で均一に塗り広げることで貼着時に巻き込んだ気泡を容易に取り除くことができ、補修シートの浮き、未接着部分はなくなり、また補修シートの厚さが薄いので、補修シートの貼着による段差も感じられず、補修部の多彩模様に連続性が見られ、補修したことが目立たない優れた仕上がり外観であった。一方、比較例の補修シートを用いたものは、貼着時に巻き込んだ気泡が残り、また、補修シートの厚みが段差として残り、明らかに補修シートを貼ったことが解る仕上がり外観であった。
【００４０】
例２
補修シートを切り取るのに鋏を用いた以外は、上記例１と全く同様にして補修シートの貼着作業を行ったところ、実施例の補修シートは、補修シートを手で千切ったものに比ベても、補修シートの切り取り端部が若干解る程度で、補修シートの浮き、未接着部等のない優れた仕上がり外観の補修部であった。一方、比較例の補修シートはさらに補修跡の目立つ仕上がり外観であった。
【００４１】
例３
多彩模様塗装面のコーナー部分を約５×５ｃｍ角の補修シートを用いて補修した。実施例の補修シートでは良好に補修できたものの、比較例の補修シートでは補修シートが硬度が高いため、接着剤（クリヤー塗料）の接着力よりも補修シートの復元力の方が強く、良好な貼着のためには長時間押さえておく必要があった。
【００４２】
例４
補修部により深い擦り傷をつけて補修を行った。実施例の補修シートを手で約４×４ｃｍ角に千切って２枚重ね貼りした場合、凹部が完全に解消でき、補修跡の目立たない仕上がり外観であったが、１枚の補修シートでは、擦り傷部の凹部がわずかに残った。
【００４３】
【発明の効果】
本発明に係る多彩模様塗装面の補修シート及び補修方法によって、多彩模様塗装面の補修を、補修シートを貼るだけで熟練を要することなく極めて容易かつ短時間で行うことができ、しかも、補修部と補修シートの間の多彩模様を違和感のない連続模様とすることのできる高度な補修が実現できる。
【００４４】
すなわち、本発明の補修シートは、無数の開口部ないし小孔がランダムに形成されてなるランダムメッシュシートであるので、貼着の際に気泡を巻き込んだとしてもその除去が容易であり、貼着不良などの欠点の極めて少ない補修を行うことができる。この補修シートは比較的薄いシートであるので、凹凸や段差を低減し、補修部を目立たなくすることができる。
【００４５】
また、このランダムメッシュシートが補修部の多彩模様塗料と同一の多彩模様塗料によって形成されたものである場合は、補修部の多彩模様と補修シートの多彩模様とを略同一にすることができるので、補修部の多彩模様に連続性をもたせることができ、模様の違いによって生じる違和感が解消され、補修部の目立たない仕上がり外観とすることができる。
【００４６】
さらに、この補修シートを、支持体上に剥離可能に形成して、補修シートセットとした場合は、この補修シートの巻き取りあるいは積み重ねが容易となるので、輸送、保管時の取り扱いには極めて便利である。
【００４７】
本発明の補修方法は、少なくとも１枚の上記補修シートを接着剤を介して補修部に貼着することからなっているので、補修部の塗膜を切り取って除去し、次いで補修シートを補修部の形状に合わせて切り取ってから貼るという従来技術とは異なり、補修部にそのまま上から貼ることができ、補修シートの切り取り形状と補修部の形状を厳密に合わせたり、補修部の塗膜を除去する必要がないなど補修作業が極めて容易に行える利点がある。特に、補修部が大きく凹んでいるような場合であっても、補修シートを複数枚貼り重ねることによって凹部が解消され、補修跡の目立たない仕上がり外観とすることができる。
【００４８】
また、この補修方法においては、接着剤にランダムメッシュシートを形成するのに用いた多彩模様塗料と同一の多彩模様塗料を接着剤とした場合は、補修部の塗膜、接着剤層、補修シート相互間の膜特性を同一とすることができ、補修部に剥がれ、しわ、割れ等の欠陥が発生するのを防止でき、耐久性に優れた補修を行うことができる。
【００４９】
さらに、この補修方法における接着剤として、多彩模様塗料中の着色混合粒ないし分散媒中に含まれる樹脂成分と同一の樹脂成分を接着成分としたものである場合は、上記と同様な耐久性に優れた補修が行える他、補修シート貼着部から接着剤がはみ出したとしても、その拭き取り作業が不要となり、また仮に拭き取った場合でも拭き取りによる多彩模様の模様くずれが発生せず、違和感のない補修を行うことができる。
【図面の簡単な説明】
【図１】図１は、本発明の多彩模様塗装面の補修シートの一例を示す薄膜の写真である。
【図２】図２は、本発明の多彩模様塗装面の補修方法による補修手順の一例を説明する断面図である。（ａ）は補修前の多彩模様塗膜層の一部に塗膜欠陥が存在する段階、（ｂ）は、補修部に接着剤を塗布した段階、（ｃ）は補修シートを貼着した段階、（ｄ）は、補修シートからはみ出した接着剤を拭き取った段階を示す断面図である。
【符号の説明】
１  多彩模様塗装の施された基材
２  多彩模様塗膜層
３  接着剤層
４  補修シート
５  多彩模様塗膜層の塗膜欠陥
【図１】
0003916725.tif 000002
【図２】
0003916725.tif 000003